(57)【特許請求の範囲】
【請求項１】
セットされた複数毎の原稿を分離給送して１ページずつ順次搬送しつつ読取対象原稿の先端が所定の読取基準位置を通過したことを検出すると、その読取基準位置からスキャンラインまでの所定距離更に搬送して読取りを開始し、当該読取対象原稿後端まで読み取るとその後端を所定のスタンプ押印位置まで搬送する読取り動作を、当該読取対象原稿の次の原稿を新たな読取対象原稿として繰り返し行い、前記セットされた複数枚の原稿のそれぞれについての画情報を順次得る画像読取装置において、
原稿の先端が前記所定の読取基準位置を通過したか否かを検出する読取基準位置検出手段と、
前記読取対象原稿後端が前記所定のスタンプ押印位置まで搬送されたか否かを検出するスタンプ押印位置検出手段と、
原稿が前記所定の読取基準位置を超え前記スキャンライン手前の所定の限界位置まで達したか否かを検出する限界位置検出手段と、
前記スタンプ押印位置検出手段が前記読取対象原稿後端が所定のスタンプ押印位置まで搬送されたことを検出する前に前記読取対象原稿の次の原稿の先端が前記所定の読取基準位置を通過したことが前記読取基準位置検出手段により検出された場合において、当該次の原稿の先端が前記所定の読取基準位置を通過して後、前記スタンプ押印位置検出手段が前記読取対象原稿後端が前記所定のスタンプ押印位置まで搬送されたことを検出するまでの間に前記限界位置検出手段により前記読取対象原稿の次の原稿の先端が前記所定の限界位置まで達してしまったことが検出されたときは、
当該読取対象原稿の前記所定のスタンプ押印位置までの搬送動作を行うことなく当該検出された時点で読み取り済みを示す印をスタンプにより当該読取対象原稿に押印すると共に、新たな読取対象原稿としての当該次の原稿については、前記所定の限界位置から前記スキャンラインまでに相当する距離だけ搬送してから読取りを開始する読取開始位置保証手段とを備えたことを特徴とする画像読取装置。
【請求項２】
前記次の原稿の先端が前記所定の読取基準位置を通過して後、前記スタンプ押印位置検出手段が前記読取対象原稿後端が前記所定のスタンプ押印位置まで搬送されたことを検出するまでの間に前記限界位置検出手段により前記読取対象原稿の次の原稿の先端が前記所定の限界位置まで達してしまったことが検出されたときは、スタンプ押印位置がずれる旨を出力または／及び履歴として保持する手段を更に備えたことを特徴とする請求項１に記載の画像読取装置。
【請求項３】
セットされた複数毎の原稿を分離給送して１ページずつ順次搬送しつつ読取対象原稿の先端が所定の読取基準位置を通過したことを検出すると、その読取基準位置からスキャンラインまでの所定距離更に搬送して読取りを開始し、当該読取対象原稿後端まで読み取るとその後端を所定のスタンプ押印位置まで搬送する読取り動作を、当該読取対象原稿の次の原稿を新たな読取対象原稿として繰り返し行い、前記セットされた複数枚の原稿のそれぞれについての画情報を順次得る画像読取装置において、
原稿の先端が前記所定の読取基準位置を通過したか否かを検出する読取基準位置検出手段と、
前記読取対象原稿後端が前記所定のスタンプ押印位置まで搬送されたか否かを検出するスタンプ押印位置検出手段と、
原稿が前記所定の読取基準位置を超え前記スキャンライン手前の所定の限界位置まで達したか否かを検出する限界位置検出手段と、
前記スタンプ押印位置検出手段が前記読取対象原稿後端が所定のスタンプ押印位置まで搬送されたことを検出する前に前記読取対象原稿の次の原稿の先端が前記所定の読取基準位置を通過したことが前記読取基準位置検出手段により検出された場合において、当該次の原稿の先端が前記所定の読取基準位置を通過して後、前記読取対象原稿の後端までの読み取りが完了する前に前記限界位置検出手段により前記読取対象原稿の次の原稿の先端が前記所定の限界位置まで達してしまったことが検出されたときは、
当該次の原稿についてのシェーディング補正データの読み取りを行わずに当該次の原稿についてのシェーディング補正データとして当該読取対象原稿についてのものを用いると共に、新たな読取対象原稿としての当該次の原稿については、前記所定の限界位置から前記スキャンラインまでに相当する距離だけ搬送してから読取りを開始する読取開始位置保証手段とを備えたことを特徴とする画像読取装置。
【請求項４】
前記次の原稿の先端が前記所定の読取基準位置を通過して後、前記読取対象原稿の後端までの読み取りが完了する前に前記限界位置検出手段により前記読取対象原稿の次の原稿の先端が前記所定の限界位置まで達してしまったことが検出されたときは、シェーディング補正データの読み取りが行えなかった旨を出力または／及び履歴として保持する手段を更に備えたことを特徴とする請求項３に記載の画像読取装置。
【発明の詳細な説明】
【０００１】
【発明の属する技術分野】
本発明は、画像読取装置に関し、特に、セットされた複数毎の原稿を分離給送して１ページずつ順次搬送しつつ読み取る画像読取装置に関する。
【０００２】
【従来の技術】
スキャナ装置、複写機、ファクシミリ装置等の構成として画像読取装置を含む装置においては、原稿読み取り速度向上のために、自動原稿送り装置（ＡＤＦ）を備えているものが多い。
【０００３】
そして、原稿読み取り速度向上のためには、分離給送されて搬送される原稿間の間隔をできるだけ狭くする必要がある。
【０００４】
【発明が解決しようとする課題】
しかし、原稿の高速読み取りのために搬送される原稿間の間隔が狭くなり過ぎると、各ページの原稿を正確に読み取るための読取開始位置制御やシェーディング補正データの読み取り処理を正常に行えなくなってしまうという問題点があった。
【０００５】
本発明は係る事情に鑑みてなされたものであり、搬送される原稿間の間隔が狭くなっても、正確に原稿画情報を読み取ることができる画像読取装置を提供することを目的とする。
【０００６】
【課題を解決するための手段】
上記目的を達成するため、請求項１に記載の画像読取装置は、セットされた複数毎の原稿を分離給送して１ページずつ順次搬送しつつ読取対象原稿の先端が所定の読取基準位置を通過したことを検出すると、その読取基準位置からスキャンラインまでの所定距離更に搬送して読取りを開始し、当該読取対象原稿後端まで読み取るとその後端を所定のスタンプ押印位置まで搬送する読取り動作を、当該読取対象原稿の次の原稿を新たな読取対象原稿として繰り返し行い、前記セットされた複数枚の原稿のそれぞれについての画情報を順次得る画像読取装置において、原稿の先端が前記所定の読取基準位置を通過したか否かを検出する読取基準位置検出手段と、前記読取対象原稿後端が前記所定のスタンプ押印位置まで搬送されたか否かを検出するスタンプ押印位置検出手段と、原稿が前記所定の読取基準位置を超え前記スキャンライン手前の所定の限界位置まで達したか否かを検出する限界位置検出手段と、前記スタンプ押印位置検出手段が前記読取対象原稿後端が所定のスタンプ押印位置まで搬送されたことを検出する前に前記読取対象原稿の次の原稿の先端が前記所定の読取基準位置を通過したことが前記読取基準位置検出手段により検出された場合において、当該次の原稿の先端が前記所定の読取基準位置を通過して後、前記スタンプ押印位置検出手段が前記読取対象原稿後端が前記所定のスタンプ押印位置まで搬送されたことを検出するまでの間に前記限界位置検出手段により前記読取対象原稿の次の原稿の先端が前記所定の限界位置まで達してしまったことが検出されたときは、当該読取対象原稿の前記所定のスタンプ押印位置までの搬送動作を行うことなく当該検出された時点で読み取り済みを示す印をスタンプにより当該読取対象原稿に押印すると共に、新たな読取対象原稿としての当該次の原稿については、前記所定の限界位置から前記スキャンラインまでに相当する距離だけ搬送してから読取りを開始する読取開始位置保証手段とを備えたことを特徴とする。
【０００７】
請求項２に記載の画像読取装置は、請求項１に記載の画像読取装置において、前記次の原稿の先端が前記所定の読取基準位置を通過して後、前記スタンプ押印位置検出手段が前記読取対象原稿後端が前記所定のスタンプ押印位置まで搬送されたことを検出するまでの間に前記限界位置検出手段により前記読取対象原稿の次の原稿の先端が前記所定の限界位置まで達してしまったことが検出されたときは、スタンプ押印位置がずれる旨を出力または／及び履歴として保持する手段を更に備えたことを特徴とする。
【０００８】
請求項３に記載の画像読取装置は、セットされた複数毎の原稿を分離給送して１ページずつ順次搬送しつつ読取対象原稿の先端が所定の読取基準位置を通過したことを検出すると、その読取基準位置からスキャンラインまでの所定距離更に搬送して読取りを開始し、当該読取対象原稿後端まで読み取るとその後端を所定のスタンプ押印位置まで搬送する読取り動作を、当該読取対象原稿の次の原稿を新たな読取対象原稿として繰り返し行い、前記セットされた複数枚の原稿のそれぞれについての画情報を順次得る画像読取装置において、原稿の先端が前記所定の読取基準位置を通過したか否かを検出する読取基準位置検出手段と、前記読取対象原稿後端が前記所定のスタンプ押印位置まで搬送されたか否かを検出するスタンプ押印位置検出手段と、原稿が前記所定の読取基準位置を超え前記スキャンライン手前の所定の限界位置まで達したか否かを検出する限界位置検出手段と、前記スタンプ押印位置検出手段が前記読取対象原稿後端が所定のスタンプ押印位置まで搬送されたことを検出する前に前記読取対象原稿の次の原稿の先端が前記所定の読取基準位置を通過したことが前記読取基準位置検出手段により検出された場合において、当該次の原稿の先端が前記所定の読取基準位置を通過して後、前記読取対象原稿の後端までの読み取りが完了する前に前記限界位置検出手段により前記読取対象原稿の次の原稿の先端が前記所定の限界位置まで達してしまったことが検出されたときは、当該次の原稿についてのシェーディング補正データの読み取りを行わずに当該次の原稿についてのシェーディング補正データとして当該読取対象原稿についてのものを用いると共に、新たな読取対象原稿としての当該次の原稿については、前記所定の限界位置から前記スキャンラインまでに相当する距離だけ搬送してから読取りを開始する読取開始位置保証手段とを備えたことを特徴とする。
【０００９】
請求項４に記載の画像読取装置は、請求項３に記載の画像読取装置において、前記次の原稿の先端が前記所定の読取基準位置を通過して後、前記読取対象原稿の後端までの読み取りが完了する前に前記限界位置検出手段により前記読取対象原稿の次の原稿の先端が前記所定の限界位置まで達してしまったことが検出されたときは、シェーディング補正データの読み取りが行えなかった旨を出力または／及び履歴として保持する手段を更に備えたことを特徴とする。
【００１１】
【発明の実施の形態】
以下、添付図面を参照しながら、本発明の実施の形態を詳細に説明する。
【００１２】
先ず、図１は、本発明の実施の形態に係る画像読取装置としてのファクシミリ装置１のブロック構成を示している。なお、以下説明する実施の形態においは、本発明をファクシミリ装置に適用した場合について説明するが、本発明は、原稿を読み取って得られた画情報の使用形態により限定されるものではなく、スキャナ装置、複写機等の画像読取装置を構成として含むその他の装置に対しても同様に適用かのうであることはいうまでもない。
【００１３】
同図において、ファクシミリ装置１は、スキャナ２、プロッタ３、操作表示部４、画像メモリ５、パラメータメモリ６、時計回路７、ＰＣ−Ｉ／Ｆ８、キャラクタジェネレータ９、ＲＡＭ１０、ＲＯＭ１１、ＣＰＵ１２、符号化復号化部１３、通信制御部１４、モデム１５、網制御部１６、及び、システムバス１７により構成されている。
【００１４】
スキャナ２は、３．８５本／ｍｍ、７．７本／ｍｍ、１５．４本／ｍｍ等の所定の読み取り線密度で原稿画像を読み取って画情報を得るためのものである。プロッタ３は、受信した画情報を、その線密度に応じて記録出力したり、スキャナ２で読み取った画情報を、その線密度に応じて記録出力（コピー動作）するためのものである。
【００１５】
操作表示部４は、相手先ファクシミリ番号を指定するためのテンキー、送信スタートキー、ワンタッチダイヤルキー、及び、その他各種キーが配設される一方、液晶表示装置等の表示器を備え、ユーザに知らせるべき装置の動作状態や、各種メッセージを表示するものである。画像メモリ５は、スキャナ２で読み取った画情報や、ＰＣ−Ｉ／Ｆ８を介してパソコン３０から転送された画情報をメモリ送信するために一時的にファイルとして蓄積したり、受信した画情報を、プロッタ３により記録するまで、または、パソコン３０に転送するまで、ファイルとして一時的に蓄積したりするためのものである。パラメータメモリ６は、図示しないバックアップ回路によりバックアップされており、システムの設定状態や、ワンタッチダイヤルの登録内容等のユーザパラメータを記憶するもので、装置電源遮断時にもその記憶内容は保持される。時計回路７は、現在日時の計時や、タイマ動作を行うためのものである。
【００１６】
ＰＣ−Ｉ／Ｆ８は、パソコン（パーソナルコンピュータ：ＰＣ）３０側のインターフェース（図示せず）と対になるインターフェースで、ファクシミリ装置１とパソコン３０とがローカルな通信を行うためのインターフェースとなるものである。パソコン３０は、ファクシミリアプリケーションの制御により、ＰＣ−Ｉ／Ｆ８を介して、ファクシミリ装置１に対して、画情報の送信依頼をしたり、画情報のプロッタ３による記録出力を依頼したり、ファクシミリ装置１から受信画情報やスキャナ２で読み取った画情報の転送を受けたりすることで、ファクシミリ装置１を利用する。
【００１７】
キャラクタジェネレータ９は、アルファベット、数字、カナ文字、記号、漢字等の各文字コードにフォントデータを対応付けたフォントテーブルを記憶していて、ＣＰＵ１２は、文字列を画情報に変換する場合には、キャラクタジェネレータ９を参照する。ＲＡＭ１０は、ＣＰＵ１２の作業領域として使用されるランダムアクセスメモリである。ＲＯＭ１１は、ＣＰＵ１２が装置各部を制御するための制御プログラムが記憶されているリードオンリメモリである。ＣＰＵ１２は、ＲＯＭ１２に書き込まれた制御プログラムに従って、ＲＡＭ１０を作業領域として使用しながら、装置各部を制御するものである。
【００１８】
符号化復号化部１３は、送信画像データを、Ｇ３ファクシミリに適合する、ＭＨ符号化方式、ＭＲ符号化方式、ＭＭＲ符号化方式等の所定の符号化方式で符号化圧縮する一方、受信画像データをＭＨ符号化方式、ＭＲ符号化方式、ＭＭＲ符号化方式等に対応する所定の復号化方式で復号伸長するものである。通信制御部１４は、モデム１５及び網制御部１６を制御して、Ｇ３ファクシミリ通信を制御するためのものである。モデム１５は、網制御部１６を介して回線に送信するデータを変調する一方、網制御部１６を介して回線から受信した通信信号を復調するものである。また、モデム１５は、ダイヤル番号に対応したＤＴＭＦ信号の送出も行う。網制御部１６は、回線に接続されて、通信制御部１４の制御により、回線の直流ループの閉結・解放や、回線の極性反転の検出、回線解放の検出、発信音の検出、ビジートーン等のトーン信号の検出、呼出信号の検出等の回線との接続制御や、ダイヤルパルスの生成を行うものである。システムバス１７は、上記各部がデータをやり取りするための信号ラインである。
【００１９】
次に、スキャナ２の構成について、図２を参照して説明する。
【００２０】
同図において、スキャナ２は、フィードローラーＲｆと読み取りローラー対Ｒ０、Ｒ１との線速差によってページ間を確保するＡＤＦを備えたもので、フィードローラーＲｆと、読み取りローラー対Ｒ０、Ｒ１とは、あらかじめ線速に差をつけており、フィードローラーＲｆの方が、読み取りローラー対Ｒ０、Ｒ１よりも線速を遅く設定してある。この状態で、複数枚の重ねてセットされた原稿Ｐの１ページ目がピックアップコロＫｐにより繰り出されると共にフィードローラーＲｆによって読み取りローラー対Ｒ０へ送られ、１ページ目の原稿後端がリバースローラー(分離部)Ｒｒを過ぎたときから次の原稿もピックアップコロＫｐにより繰り出されると共にフィードローラーＲｆによって読み取りローラー対Ｒ０へ送られようとするが、上記線速差によって、前のページの原稿と次のページの原稿との間に隙間が発生することになる。高速読み取りを要求される昨今では、このページ間を極力短くし、マルチページ読み取り時の速度を向上するように設計されている。
【００２１】
また、図２において、原稿幅センサＳ０は、セットされた原稿の幅（Ａ４、Ｂ５、Ｂ４等）を検出するセンサである。原稿センサＳ１は、原稿Ｐがセットされたことを検出するためのものである。また、基準位置センサＳ２センサーは、原稿の先端位置を決定するためのセンサーで、搬送される原稿の先端がセンサＳ２の位置を通過したか否かを検出する。通常、原稿搬送にはステップモータが使用され、そのステップ数を管理することで原稿位置制御を実行している。
【００２２】
順次分離給送され、１ページずつ間隔をおいて搬送される原稿は、読取対象原稿としてスキャンラインＬｓ上を副走査される。スキャナ２は、スキャンラインＬｓ上を通過する読取対象原稿の先端から後端までを主走査ライン単位で読み取って画情報を得る。ランプＬａは読取対象原稿照明用の光源である。白基準板Ｗは、読取対象原稿の読み取り開始に先だってイメージセンサの感度ムラやランプＬａの照明のムラを総合的に補正する、いわゆるシェーディング補正処理を行うためのシェーディング補正データを読み取るためのもので、シェーディング補正データの読み取りは、基本的には、各ページの読取対象原稿の読み取りに先だって、その都度行われる。スキャンラインＬｓを通過した読取対象原稿はローラＲ２により更に搬送されて、設定により読み取り済みスタンプ機能が有効になっていればスタンプＳｔにより読み取り済みを示す印が押され、排出ローラ対Ｒ３により更に搬送されて装置外に排出される。
【００２３】
次に、原稿搬送制御の基本動作について説明する。ＡＤＦ原稿搬送制御は大別して、ＡＤＦプリフィード動作、 読み取り動作. 及び排紙動作の３種類の動作に分けられる。
【００２４】
ＡＤＦプリフィード動作は、ＡＤＦ原稿台にセットされた原稿を読み取りライン手前まで搬送する動作モードで、原稿搬送を開始し、基準位置センサＳ２に原稿先端が到達してから、あらかじめ設定された量を引き続き搬送し、原稿先端を読み取りラインより手前の読取待機位置に停止させている。ＡＤＦプリフィード動作は最初の1ページ目のみでなく、毎ページ実行される。ただし、ＡＤＦプリフィード動作開始時に既に原稿が基準位置センサＳ２がＯＮの位置にあった場合は、ＡＤＦプリフィード動作は実行しない。
【００２５】
読み取り動作は、ＡＤＦプリフィード動作において搬送された原稿をユーザーが指定した線密度に応じた速度にて搬送しながら画データを読み取る動作で、ソフト制御としては、ＡＤＦプリフィード動作後の原稿をあらかじめ設定された長さ分搬送させたところで、画像読取を開始し、あらかじめ決められた長さ分読み取る、または、基準位置センサＳ２がＯＦＦ後、読取対象原稿のサイズに見合う予め設定された長さ分読み取った後、更に、予め設定された長さ分搬送し停止する。この停止位置は、スタンプ押印待機位置である。従って、スタンプ押印位置まで搬送する動作もこの読み取り動作制御内に含まれる。
【００２６】
排紙動作は、あらかじめ設定されたパルス分モーターを正転方向に回転させ、原稿の最終ページを強制的に排出する。マルチページ読み取り時の途中ではＡＤＦプリフィード動作や読み取り動作により読み取り済み原稿は自然に排出されるため、この排紙動作は、マルチページ読み取り時の途中では実行せず、最終ページの排出時にのみ動作させる。
【００２７】
次にファクシミリ装置１における読取処理手順について図３ないし図９を参照して説明する。
【００２８】
それらの図において、ファクシミリ装置１は、原稿がスキャナ２にセットされて原稿センサＳ１がＯＮになったか否かを監視している（判断１０１のＮｏループ）。そして、原稿センサＳ１がＯＮになると（判断１０１のＹｅｓ）、読み取りの開始を指示する操作表示部４の図示しない［スタート］キーが押下されるかを監視し（判断１０２のＮｏループ）、［スタート］キーが押下されると、前述のＡＤＦプリフィード動作を、基準位置センサＳ２がＯＮになるまで行う（処理１０３、判断１０４のＮｏループ）。
【００２９】
基準位置センサＳ２がＯＮになると、すなわち、読取対象原稿の先端が基準位置センサＳ２の位置までくると（判断１０４のＹｅｓ）、カウンタｎを０に初期化し（処理１０５）、原稿を１パルス分フィードしてはカウンタｎをインクリメントする動作をカウンタｎが値Ａに達するまで繰り返す（処理１０６、処理１０７、判断１０８のＮｏループ）。ここで、値Ａは、スキャナ部における前ページの原稿と次ページの原稿との位置関係等について示す図１０ないし図１３に示すように、基準位置センサＳ２の位置から、スキャンラインＬｓの手前の読取待機位置までの、搬送パルス数換算の距離を意味している。
【００３０】
カウンタｎが値Ａに達すると、すなわち、読取対象原稿の先端が読取待機位置まで達すると（判断１０８のＹｅｓ）、ランプＬａを点灯して白基準板Ｗを読み取るシェーディング補正データ読み取りを行う（処理１０９）。これにより得られたシェーディング補正データは、これから読み取ろうとする読取対象原稿の読み取り時のシェーディング補正のために使用される。
【００３１】
処理１０９の後は、カウンタｎを０に初期化し（処理１１０）、原稿を１パルス分フィードしてはカウンタｎをインクリメントする動作をカウンタｎが値Ｂに達するまで繰り返す（処理１１１、処理１１１２、判断１１３のＮｏループ）。ここで、値Ｂは、図１０ないし図１３に示すように、読取待機位置から、スキャンラインＬｓまでの搬送パルス数換算の距離を意味している。
【００３２】
カウンタｎが値Ｂに達すると、すなわち、読取対象原稿の先端がスキャンラインＬｓの位置まで達すると（判断１１３のＹｅｓ）、前述の読み取り動作を基準位置センサＳ２がＯＦＦするまで、すなわち、読取対象原稿の後端が基準位置センサＳ２の位置に達するまで行う（処理１１４、判断１１５のＮｏループ）。
【００３３】
そして、カウンタｍを０に初期化すると共に（処理１１６）、カウンタｎを０に初期化した後（処理１１７）、基準位置センサＳ２がＯＮになるか、すなわち、読取対象原稿の後端の読み取り中に次の原稿の先端が基準位置センサＳ２の位置に達したかを監視しつつ（判断１１８のＮｏ）、原稿を１パルス分搬送しては読取対象原稿を読み取りカウンタｎをインクリメントする動作をカウンタｎが値Ｃに達するまで繰り返す（処理１２１、処理１２２、処理１２３、判断１２４のＮｏループ）。ここで、値Ｃは、図１０ないし図１３に示すように、基準位置センサＳ２の位置から、スキャンラインＬｓまでの搬送パルス数換算の距離を意味している。
【００３４】
判断１２４がＹｅｓになった時点で、読取対象原稿の後端はスキャンラインＬｓに達し、読取対象原稿の先端から後端までの画情報の読み取りが完了する。
【００３５】
判断１２４がＹｅｓになると、次に、カウンタｎを０に初期化し（処理１２５）、基準位置センサＳ２がＯＮになるか、すなわち、読取対象原稿の後端を図１０ないし図１３に示すスタンプ待機位置まで搬送するまでの間に次の原稿の先端が基準位置センサＳ２の位置に達したかを監視しつつ（判断１２６のＮｏ）、原稿を１パルス分搬送してはカウンタｎをインクリメントする動作をカウンタｎが値Ｄに達するまで繰り返す（処理１２９、処理１３０、判断１３１のＮｏループ）。ここで、値Ｄは、図１０ないし図１３に示すように、スキャンラインＬｓからスタンプ待機位置までの搬送パルス数換算の距離を意味している。
【００３６】
判断１３１がＹｅｓになった時点で、読取対象原稿の後端はスタンプ待機位置に達し、スタンプＳｔにより、読み取り済みを示す印が押印される（処理１３２）。
【００３７】
そして、次ページの原稿があるか否かを判断し（判断１３３）、次ページがない場合には（判断１３３のＮｏ）、前述の排紙動作を行い（処理１３４）、最終ページの原稿を装置外に強制的に排出する。
【００３８】
次ページの原稿がある場合には（判断１３３のＹｅｓ）、カウンタｍの値が０か否かを判断し（判断１３５）、カウンタｍの値が０である場合、すなわち、判断１２６及び判断１１８が共にＹｅｓになることがなかった場合、換言すれば、読取対象原稿の後端の読み取り中にも読取対象原稿をスタンプ待機位置まで搬送中にも基準位置センサＳ２がＯＮになることかなかった場合、つまり、読取対象原稿と次の原稿との間隔が十分で、図１０に示すように、前ページの読取対象原稿Ｐｐの後端がスタンプ待機位置に達した時点で、次ページの原稿Ｐｎの先端が基準位置センサＳ２の位置にまだ達していない場合には（判断１３５のＮｏ）、処理１０３に戻り、次ページの原稿Ｐｎを新たな読取対象原稿として、ＡＤＦプリフィード動作からの処理を繰り返す。
【００３９】
判断１３５で、カウンタｍの値が０ではない場合、すなわち、判断１２６がＹｅｓ）になりかつ判断１２８がＮｏであった場合、または、判断１１８がＹｅｓになりかつ判断１２０がＮｏであった場合、換言すれば、読取対象原稿の後端の読み取り中、または、読取対象原稿をスタンプ待機位置まで搬送中に、読取対象原稿と次の原稿との間隔が不十分で基準位置センサＳ２がＯＮにはなったが、読取対象原稿の次の原稿の先端が図１０ないし図１３に示すシェーディング不可範囲に達する程には、読取対象原稿と次の原稿との間隔が狭くなかった場合には（判断１３５のＹｅｓ）、白基準板Ｗが読取対象原稿や次の原稿により遮られることがなく、シェーディング補正データを正しく読み取ることが可能であるため、読取対象原稿の次の原稿のためのシェーディング補正データを読み取る（処理１３６）。
【００４０】
そして、カウンタｎを０に初期化し（処理１３７）、原稿を１パルス分フィードしてはカウンタｎをインクリメントする動作をカウンタｎが値（Ｃ−ｍ）に達するまで繰り返す（処理１３８、処理１３９、判断１４０のＮｏループ）。ここで、値（Ｃ−ｍ）は、図１１に示すように、前ページの読取対象原稿Ｐｐの後端がスタンプ待機位置に達した時点で、次ページの原稿Ｐｎの先端が基準位置センサＳ２の位置から更に搬送された搬送パルス数換算の距離（ｍ）を、基準位置センサＳ２の位置とスキャンラインＬｓとの搬送パルス数換算の距離から減じた距離を意味している。
【００４１】
判断１３１がＹｅｓになった時点では、次のページの原稿Ｐｎの先端はスキャンラインＬｓに達しているため、次のページの原稿Ｐｎを新たな読取対象原稿として、処理１１４の読み取り動作に戻ることで、図１１に示すように前ページの読取対象原稿Ｐｐの後端がスタンプ待機位置に達した時点で、次ページの原稿Ｐｎの先端が基準位置センサＳ２の位置を超えて搬送されてしまった場合でも、当該次のページの原稿Ｐｎを先頭から正しく読み取ることが可能となる。
【００４２】
さて、判断１２６において、基準位置センサＳ２がＯＮになった場合、すなわち、読取対象原稿の後端を図１０ないし図１３に示すスタンプ待機位置まで搬送するまでの間に次の原稿の先端が基準位置センサＳ２の位置に達してしまった場合には、カウンタｍをインクリメントし（処理１２７）、カウンタｍの値がＥに達したか、すなわち、読取対象原稿をスタンプ待機位置まで搬送中に、読取対象原稿と次の原稿との間隔が不十分で基準位置センサＳ２がＯＮになって、更に、読取対象原稿の次の原稿の先端が図１０ないし図１３に示すシェーディング不可範囲に達してしまったか否かを判断し（判断１２８）、まだシェーディング不可範囲に達してしない場合には（判断１２８のＮｏ）、処理１２９に移行し、シェーディング不可範囲に達してしまった場合には（判断１２８のＹｅｓ）、仮にそのまま搬送を継続すると次の原稿Ｐｎの先端がシェーディング不可範囲内にはいってしまって、白基準板Ｗをさえぎってしまって、次の原稿Ｐｎのためのシェーディング補正を行えなくなってしまうため、処理１４１に移行し、読取対象原稿の後端にスタンプＳｔにより、読み取り済みを示す印を押印してしまう（処理１４１）。
【００４３】
ただし、処理１４１におけるスタンプの押印は、判断１３１がＹｅｓになる前に行われるため、読取対象原稿の後端がスタンプ待機位置にあるときの正規の押印位置からずれた位置に行われる。そのため、スタンプ位置がずれた旨を操作表示部４に表示すると共にパラメータメモリ６にスタンプ位置ずれが発生したことを履歴として記憶しておく（処理１４２）。これにより、スキャナ２における複数ページ連続読み取りにおいて搬送系のよごれ等により原稿間隔が狭くなってきていること等をユーザに認識させることができる。
【００４４】
そして、判断１２８がＹｅｓになることにより、次の原稿Ｐｎの先端がシェーディング不可範囲に入らないように搬送を停止しているため、シェーディング補正データは正しく読み取り可能であるため、次の原稿Ｐｎのためのシェーディング補正データを読み取る（処理１４３）。
【００４５】
そして、カウンタｎを０に初期化し（処理１４４）、原稿を１パルス分フィードしてはカウンタｎをインクリメントする動作をカウンタｎが値（Ｃ−Ｅ）に達するまで繰り返す（処理１４５、処理１４６、判断１４７のＮｏループ）。ここで、値（Ｃ−Ｅ）は、図１２に示すように、次ページの原稿Ｐｎの先端がシェーディング不可範囲に達した時点での、次ページの原稿Ｐｎの先端とスキャンラインＬｓとの搬送パルス数換算の距離を意味している。
【００４６】
判断１４７がＹｅｓになった時点では、次のページの原稿Ｐｎの先端はスキャンラインＬｓに達しているため、次のページの原稿Ｐｎを新たな読取対象原稿として、処理１１４の読み取り動作に戻ることで、図１２に示すように次ページの原稿Ｐｎの先端がシェーディング不可範囲に達した時点ではまだ読取対象原稿Ｐｐをスタンプ待機位置まで搬送中であったとしても、当該次のページの原稿Ｐｎを先頭から正しく読み取ることが可能となる。
【００４７】
さて、判断１１８において、基準位置センサＳ２がＯＮになった場合、すなわち、読取対象原稿の後端の読み取り中に次の原稿の先端が基準位置センサＳ２の位置に達してしまった場合には、カウンタｍをインクリメントし（処理１１９）、カウンタｍの値がＥに達したか、すなわち、読取対象原稿の後端の読み取り中に    、読取対象原稿と次の原稿との間隔が不十分で基準位置センサＳ２がＯＮになって、更に、読取対象原稿の次の原稿の先端が図１０ないし図１３に示すシェーディング不可範囲に達してしまったか否かを判断し（判断１２０）、まだシェーディング不可範囲に達してしない場合には（判断１２０のＮｏ）、処理１２１に移行し、シェーディング不可範囲に達してしまった場合には（判断１２０のＹｅｓ）、仮にそのまま読取対象原稿の読み取りや搬送を継続すると次の原稿Ｐｎを先端から正しく読み取れなくなるため、処理１４８に移行し、読取対象原稿の後端にスタンプＳｔにより、読み取り済みを示す印を押印してしまう（処理１４８）。
【００４８】
ただし、処理１４８におけるスタンプの押印は、判断１３１がＹｅｓになる前に行われるため、読取対象原稿の後端がスタンプ待機位置にあるときの正規の押印位置からずれた位置に行われる。そのため、スタンプ位置がずれた旨を操作表示部４に表示すると共にパラメータメモリ６にスタンプ位置ずれが発生したことを履歴として記憶しておく（処理１４９）。これにより、スキャナ２における複数ページ連続読み取りにおいて搬送系のよごれ等により原稿間隔が狭くなってきていること等をユーザに認識させることができる。
【００４９】
そして、判断１２０がＹｅｓになった時点では、次の原稿Ｐｎの先端がシェーディング不可範囲に入らないように搬送を停止しているものの、読取対象原稿Ｐｐがシェーディング不可範囲に入っているため、シェーディング補正データを正しく読み取ることは不可能である。そのため、前ページＰｐ分のシェーディング補正データを次の原稿Ｐｎのためのシェーディング補正データとする（処理１５０）。
【００５０】
そして、シェーディング補正データ読み取り不可の旨を操作表示部４に表示すると共にパラメータメモリ６にシェーディング補正データ読み取り不可が発生したことを履歴として記憶しておく（処理１５１）。これにより、スキャナ２における複数ページ連続読み取りにおいて搬送系のよごれ等により原稿間隔が更に狭くなってきていること等をユーザに認識させることができる。
【００５１】
そして、カウンタｎを０に初期化し（処理１５２）、原稿を１パルス分フィードしてはカウンタｎをインクリメントする動作をカウンタｎが値（Ｃ−Ｅ）に達するまで繰り返す（処理１５３、処理１５４、判断１５５のＮｏループ）。ここで、値（Ｃ−Ｅ）は、図１３に示すように、次ページの原稿Ｐｎの先端がシェーディング不可範囲に達した時点での、次ページの原稿Ｐｎの先端とスキャンラインＬｓとの搬送パルス数換算の距離を意味している。
【００５２】
判断１５５がＹｅｓになった時点では、次のページの原稿Ｐｎの先端はスキャンラインＬｓに達しているため、次のページの原稿Ｐｎを新たな読取対象原稿として、処理１１４の読み取り動作に戻ることで、図１３に示すように次ページの原稿Ｐｎの先端がシェーディング不可範囲に達した時点でまだ、読取対象原稿Ｐｎの後端が読み取り中でも、当該次のページの原稿Ｐｎを先頭から正しく読み取ることが可能となる。
【００５３】
このように本実施の形態によれば、複数原稿の連続読み取り時の原稿間隔を最小限にすることができ、複数原稿の連続高速読み取りが可能となる。
【００５４】
【発明の効果】
請求項１に係る発明によれば、前ページ搬送中に次ページの原稿先端位置を監視することで、スタンプ押印位置よりも次ページ読み取り開始位置を優先し、ＡＤＦ分離部の性能低下によりページ間が確保できない場合でも、エラーとせず、読み取り動作を実行できる効果が得られる。
【００５５】
請求項２に係る発明によれば、スタンプ押印位置がずれる制御を実行したことを使用者に通知する、あるいは、履歴として残すことで、ＡＤＦの分離性能が落ちてきているあるいは、不適切な原稿を読み取らせたことを通知することが出来、ＡＤＦのメンテナンスデータとして活用することが可能となる効果が得られる。
【００５６】
請求項３に係る発明によれば、前ページのシェーディング補正データをそのまま次ページに使用することで、ＡＤＦ分離部の性能低下によりページ間が確保できない場合でも、エラーとせず、読み取り動作を実行することが可能となる効果が得られる。
【００５７】
請求項４に係る発明によれば、シェーディング補正制御を実施していないページであることを使用者に通知する、あるいは、履歴として残すことで、ＡＤＦの分離性能が落ちてきているあるいは、不適切な原稿を読み取らせたことを通知することが出来、ＡＤＦのメンテナンスデータとして活用することが可能となる効果が得られる。
【図面の簡単な説明】
【図１】本発明の実施の形態に係る画像読取装置としてのファクシミリ装置のブロック構成を示す図である。
【図２】本発明の実施の形態に係るファクシミリ装置のスキャナ部の構成について示す模式図である。
【図３】本発明の実施の形態に係るファクシミリ装置における読取処理手順について示すフローチャートである。
【図４】図３と共に、本発明の実施の形態に係るファクシミリ装置における読取処理手順について示すフローチャートである。
【図５】図３及び図４と共に、本発明の実施の形態に係るファクシミリ装置における読取処理手順について示すフローチャートである。
【図６】図３、図４及び図５と共に、本発明の実施の形態に係るファクシミリ装置における読取処理手順について示すフローチャートである。
【図７】図３、図４、図５及び図６と共に、本発明の実施の形態に係るファクシミリ装置における読取処理手順について示すフローチャートである。
【図８】図３、図４、図５、図６及び図７と共に、本発明の実施の形態に係るファクシミリ装置における読取処理手順について示すフローチャートである。
【図９】図３、図４、図５、図６、図７及び図８と共に、本発明の実施の形態に係るファクシミリ装置における読取処理手順について示すフローチャートである。
【図１０】本発明の実施の形態に係るファクシミリ装置のスキャナ部における前ページの原稿と次ページの原稿との位置関係等について示す図である。
【図１１】本発明の実施の形態に係るファクシミリ装置のスキャナ部における前ページの原稿と次ページの原稿との位置関係等について示す図１０とは別の図である。
【図１２】本発明の実施の形態に係るファクシミリ装置のスキャナ部における前ページの原稿と次ページの原稿との位置関係等について示す図１０または図１１とは別の図である。
【図１３】本発明の実施の形態に係るファクシミリ装置のスキャナ部における前ページの原稿と次ページの原稿との位置関係等について示す図１０、図１１または図１２とは別の図である。
【符号の説明】
１  ファクシミリ装置
２  スキャナ
３  プロッタ
４  操作表示部
５  画像メモリ
６  パラメータメモリ
７  時計回路
８  ＰＣ−Ｉ／Ｆ
９  キャラクタジェネレータ
１０  ＲＡＭ
１１  ＲＯＭ
１２  ＣＰＵ
１３  符号化復号化部
１４  通信制御部
１５  モデム
１６  網制御部
２７  システムバス
３０  パソコン
Ｌａ  ランプ
Ｐ  原稿
Ｐｎ  次原稿
Ｐｐ  前原稿
Ｒ０、Ｒ１  読み取りローラー対
Ｒ２  ローラー
Ｒ３  排出ローラー対
Ｒｆ  フィードローラー
Ｒｒ  リバースローラー
Ｓ０  原稿幅センサ
Ｓ１  原稿センサ
Ｓ２  基準位置センサ
Ｓｔ  スタンプ
Ｗ  白基準板
【図１】
0003664597.tif 000002
【図２】
0003664597.tif 000003
【図３】
0003664597.tif 000004
【図４】
0003664597.tif 000005
【図５】
0003664597.tif 000006
【図６】
0003664597.tif 000007
【図７】
0003664597.tif 000008
【図８】
0003664597.tif 000009
【図９】
0003664597.tif 000010
【図１０】
0003664597.tif 000011
【図１１】
0003664597.tif 000012
【図１２】
0003664597.tif 000013
【図１３】
0003664597.tif 000014